(57)【要約】【課題】主に塵の侵入をより十分に防止することができ、より小型で薄い構造にできるＶＣＭを利用したレンズ駆動装置を提供する。【解決手段】レンズ駆動装置３０は、レンズバレルを螺合するボビン７０と、コイル２６と、永久磁石２１ａ、２１ｂと、ベース開口部３ａを有すると共にスプリングを介してボビンを支持するベース部材３と、ボビン、コイル及び永久磁石を収容するヨーク１と、センサホルダー８０とを具備し、センサホルダーは、入射開口部８０ａと入射開口部への塵の侵入を防ぐための防塵壁８２とを有し、防塵壁は入射開口部の縁に沿って環状に設けられ、レンズの光軸を基準にしてベース部材上にボビンを配置すると共にセンサホルダー上にベース部材を配置した状態で防塵壁がベース開口部を貫通してベース部材とボビンとの間隔部をふさぐように構成される。【選択図】  図５
2014066935.tif 000002
【特許請求の範囲】
【請求項１】
レンズバレルを螺合する筒状のボビンと、
前記ボビンの筒外周部に設けられたコイルと、
前記コイルの近傍に設けられた1つ又は複数の永久磁石と、
ベース開口部を有すると共にスプリングを介して前記ボビンを支持するベース部材と、
前記ベース部材上に設けられると共に前記ボビン、前記コイル及び前記永久磁石を収容するヨークと、
光学系センサを保持するセンサホルダーとを具備するレンズ駆動装置であって、
前記センサホルダーは、
前記レンズで受光した光を入射させるための入射開口部と前記入射開口部への塵の侵入を防ぐための防塵壁とを有し、
前記防塵壁は前記入射開口部の縁に沿って環状に設けられ、
前記レンズの光軸を基準にして前記ベース部材上に前記ボビンを配置すると共に前記センサホルダー上に前記ベース部材を配置した状態で
前記防塵壁が前記ベース開口部を貫通して前記ベース部材と前記ボビンとの間隔部をふさぐように構成される
ことを特徴とするレンズ駆動装置。
【請求項２】
前記防塵壁は、少なくとも前記ベース開口部の上端と前記ボビンの筒内周部の下端との間隔部をふさぐように構成される
ことを特徴とする請求項１記載のレンズ駆動装置。
【請求項３】
前記防塵壁は、前記ベース開口部と間隔をあけて配置されている
ことを特徴とする請求項１又は請求項２に記載のレンズ駆動装置。
【請求項４】
前記防塵壁の一端は前記ボビンの筒内周部に達している
ことを特徴とする請求項１乃至３のいずれか１項に記載のレンズ駆動装置。
【請求項５】
前記防塵壁の外周部は、前記ボビンの筒内周部に接触又は近接する
ことを特徴とする請求項４記載のレンズ駆動装置。
【請求項６】
前記ボビンは内側にレンズバレルを螺合するためのねじ溝が形成され、
前記防塵壁は円筒状に設けられ、
前記防塵壁の内径は、前記ボビンの内径以上である
ことを特徴とする請求項４又は請求項５に記載のレンズ駆動装置。
【請求項７】
前記防塵壁は、前記ボビンが光軸方向に移動しても前記ベース部材と前記ボビンとの間隔部をふさぐように構成される
ことを特徴とする請求項１乃至６のいずれか１項に記載のレンズ駆動装置。
【発明の詳細な説明】
【技術分野】
【０００１】
本発明は、ＶＣＭ（Voice Coil Motor）により光学系を光軸方向に移動可能なレンズ駆動装置に関する。
【背景技術】
【０００２】
ＶＣＭを利用したレンズ駆動装置は、一般に、レンズバレルを螺合するボビン、ボビンに設けられたコイル、コイルに磁界を与える永久磁石、ボビンを付勢するスプリング等を含むＶＣＭアクチュエータと、ボビンを支持するベース部材と、ベース部材上に設けられると共にＶＣＭアクチュエータを収容するヨーク等で構成されている。光学系センサを保持するセンサホルダーの上部には、レンズの光軸中心に対して光学系センサが垂直に設けられるようにベース部材の形状や大きさが決められている。このようなレンズ駆動装置の構成における問題点の一つとして、ヨークの上方から侵入した塵やヨークの内部で発生した塵によって撮像不良を生じることが知られており、その対策として様々な技術が開発されている。
【０００３】
特許文献１では、レンズと、レンズを保持する可動部と、可動部を光軸方向に移動させる駆動部と、可動部を内部に収容するとともに、光軸方向の両端部に、光を透過させるための開口が形成された収容部とを備え、少なくともレンズホルダおよび収容部の一方に、少なくとも一方の開口の全周囲を包囲する突起が形成されているレンズ駆動装置が開示されている。このレンズ駆動装置は、突起が各開口からの異物の出入りを妨げて各開口からの異物の出入りを低減することができる。また、特許文献２では、レンズを備えた移動体と、移動体をレンズ光軸方向に磁気駆動する磁気駆動機構と、ベースを備えた支持体とを有し、そのベースは、レンズを介して入射した光を撮像素子によって受光するための開口部と、塵埃貯留用凹部とを備えているレンズ駆動装置が開示されている。このレンズ駆動装置は、ベースに塵埃貯留用凹部を備えているため、塵埃を塵埃貯留用凹部で捕捉し保持することができ、塵埃がベースの開口部を通り抜けて撮像素子やフィルタなどに付着することを防止することができる。
【先行技術文献】
【特許文献】
【０００４】
【特許文献１】特開２００９−２５１５１７号公報
【特許文献２】特開２０１０−１９０９２３号公報
【発明の概要】
【発明が解決しようとする課題】
【０００５】
通常、センサホルダーの形状は、発注者側で設計済みのものとして提供されることが一般的であり、塵の侵入を防止するための設計を施したレンズ駆動装置を設計するためには、決められたセンサホルダーの形状に適合する範囲でボビンやベース部材側に塵の侵入を防止するための構造的な工夫をすることに留まっていた。
【０００６】
しかし、ボビンやベース部材側に防塵構造としての凹部や凸部等を設けるだけでは、塵の侵入を完全に防ぐことは難しく、かつ、ボビンやベース部材側にこのような防塵構造を設けることは、小型で薄い構造のレンズ駆動装置を設計する上で妨げとなっていた。
【０００７】
本発明は、上記に鑑みてなされたものであり、主に塵の侵入をより十分に防止することができ、より小型で薄い構造にすることができるＶＣＭを利用したレンズ駆動装置を提供することを目的とする。
【課題を解決するための手段】
【０００８】
本発明に係るレンズ駆動装置は、レンズバレルを螺合する筒状のボビンと、前記ボビンの筒外周部に設けられたコイルと、前記コイルの近傍に設けられた1つ又は複数の永久磁石と、ベース開口部を有すると共にスプリングを介して前記ボビンを支持するベース部材と、前記ベース部材上に設けられると共に前記ボビン、前記コイル及び前記永久磁石を収容するヨークと、光学系センサを保持するセンサホルダーとを具備するレンズ駆動装置であって、前記センサホルダーは、前記レンズで受光した光を入射させるための入射開口部と前記入射開口部への塵の侵入を防ぐための防塵壁とを有し、前記防塵壁は前記入射開口部の縁に沿って環状に設けられ、前記レンズの光軸を基準にして前記ベース部材上に前記ボビンを配置すると共に前記センサホルダー上に前記ベース部材を配置した状態で前記防塵壁が前記ベース開口部を貫通して前記ベース部材と前記ボビンとの間隔部をふさぐように構成されることを特徴とする。
【０００９】
このようにすると、ヨーク内に侵入した塵やヨーク内で発生した塵が、センサホルダーの防塵壁によってベース部材とボビンとの間隔部から入射開口部を介して光学系センサへ向かって装置内部に侵入することを十分に抑えることができる。ここで、ベース部材とボビンとの間隔部とは、ベース部材とボビンとの間の空間をいい、その空間の一部又は全部は問わない。また、ボビンやベース部材側に防塵構造としての凹部や凸部等を必ずしも設ける必要がなく、ボビンやベース部材をより単純な構造にすることができるため、装置全体をより小型で薄い構造にすることができる。
【００１０】
上記レンズ駆動装置において、前記防塵壁は、少なくとも前記ベース開口部の上端と前記ボビンの筒内周部の下端との間隔部をふさぐように構成されることが好ましい。このようにすると、防塵壁の大きさが小さくてもヨーク内の塵がベース部材とボビンとの間隔部から入射開口部を介して装置内部に侵入することを効率よく抑えることができる。
【００１１】
上記レンズ駆動装置において、前記防塵壁は前記ベース開口部と間隔をあけて配置されていることが好ましい。このようにすると、ベース部材とセンサホルダーとにより塵溜まり部を形成して、ヨーク内の塵をその塵溜まり部に溜めることができる。
【００１２】
上記レンズ駆動装置において、前記防塵壁の一端は前記ボビンの筒内周部に達していることが好ましい。このようにすると、防塵壁の大きさをボビンの移動方向に大きくすることができ、ヨーク内の塵がベース部材とボビンとの間隔部から入射開口部を介して装置内部に侵入することをより効果的に抑えることができる。
【００１３】
上記レンズ駆動装置において、前記防塵壁の外周部は、前記ボビンの筒内周部に接触又は近接することが好ましい。ここで、防塵壁の外周部がボビンの筒内周部に接触するとは、ボビンの筒内周部が防塵壁の外周部を滑って移動できる程度に接触していることをいう。また、防塵壁の外周部がボビンの筒内周部に近接するとは、防塵壁の外周部とボビンの筒内周部との間に塵が通過できない程度の隙間があることをいう。このようにすると、ヨーク内の塵が防塵壁によってベース部材とボビンとの間隔部から装置内部に侵入することをより効果的に抑えることができる。
【００１４】
上記レンズ駆動装置において、前記ボビンは内側にレンズバレルを螺合するためのねじ溝が形成され、前記防塵壁は円筒状に設けられ、前記防塵壁の内径は、前記ボビンの内径以上であることが好ましい。このようにすると、レンズで受光した光を防塵壁で遮ることなく光学センサに入射させることができる。
【００１５】
上記レンズ駆動装置において、前記防塵壁は、前記ボビンが光軸方向に移動しても前記ベース部材と前記ボビンとの間隔部をふさぐように構成されることが好ましい。このようにすると、レンズ駆動装置の駆動時においてもヨーク内の塵が防塵壁によってベース部材とボビンとの間隔部からから装置内部に侵入することを十分に抑えることができる。
【発明の効果】
【００１６】
本発明に係るレンズ駆動装置によれば、ヨーク内に侵入した塵やヨーク内で発生した塵が、センサホルダーの防塵壁によってベース部材とボビンとの間隔部から光学系センサへ向かって装置内部に侵入することを十分に抑えることができる。また、ボビンやベース部材をより単純な構造にすることができるため、装置全体をより小型で薄い構造にすることができる。
【図面の簡単な説明】
【００１７】
【図１】本実施形態のレンズ駆動装置を示す斜視図
【図２】本実施形態のレンズ駆動装置の分解斜視図であり、（ａ）はヨークを示す斜視図、（ｂ）はＶＣＭアクチュエータを示す斜視図
【図３】本実施形態のレンズ駆動装置の分解斜視図であり、（ａ）はベース部材を示す斜視図、（ｂ）はセンサホルダーを示す斜視図
【図４】ＶＣＭアクチュエータの分解斜視図
【図５】図１のレンズ駆動装置を示すＡ−Ａ’断面図
【図６】図５の防塵壁の周辺部を示す拡大断面図
【図７】図６の防塵壁の周辺部をさらに拡大して示す拡大断面図
【発明を実施するための形態】
【００１８】
以下、本実施形態について図面を参照して詳述する。各図における符号が同じ構成は、
同一のものであることを示している。本実施形態の記載は本発明の技術的思想を理解する
ために合目的的に解釈され、本実施形態の記載に限定解釈されるべきものではない。
【００１９】
図１は、本実施形態のレンズ駆動装置を示す斜視図である。図１に示すように、レンズ駆動装置３０は、ヨーク１と、ＶＣＭアクチュエータ２と、ベース部材３と、センサホルダー８０とを有する。ＶＣＭアクチュエータ２は、ヨーク１とベース部材３とから形成される空間内に収容されている。レンズ駆動装置３０は、ヨーク１の上面に開口部１ａを有し、その開口部１ａからボビン７０の内側にねじ溝７１を確認することができる。ボビン７０は、図示しないレンズやレンズバレル等の光学部品のねじ山を、ねじ溝７１に螺合させることによりそれらを螺着固定できるようになっている。レンズ駆動装置３０は、ベース部材３の下面側にＶＣＭに電源を供給するための２つの端子２３ａ、２４ａを有し、センサホルダー８０の前面の両端部に配置される。
【００２０】
図２は、本実施形態のレンズ駆動装置３０の分解斜視図であり、図２（ａ）はヨーク１を示す斜視図であり、図２（ｂ）はＶＣＭアクチュエータ２を示す斜視図である。また、図３も本実施形態のレンズ駆動装置３０の分解斜視図であり、図３（ａ）はベース部材３を示す斜視図であり、図３（ｂ）はセンサホルダー８０を示す斜視図である。図２（ａ）、図２（ｂ）、図３（ａ）及び図３（ｂ）に示すように、図１に示すレンズ駆動装置３０は、ヨーク１とＶＣＭアクチュエータ２とベース部材３とセンサホルダー８０とに分解することができ、逆に、ヨーク１とＶＣＭアクチュエータ２とベース部材３とセンサホルダー８０とから組み立てることができる。図２（ａ）に示すように、ヨーク１は、略四角形の筒状であり、中央付近に略円状の開口部１ａを有する。
【００２１】
図２（ｂ）に示すように、ＶＣＭアクチュエータ２は、２つの平板状永久磁石２１ａ、２１ｂと、スプリング２２、２３、２４と、カバー２５と、コイル２６と、図示しないプレート２７と、略筒状のボビン７０とを有する。ボビン７０は、コイル２６を巻き付けるための略四角形状の筒外周部を有する。コイル２６はボビン７０の筒外周部に設けられる。具体的には、ボビン７０の筒外周部にコイルを巻き付けて略四角形状のコイル２６が形成され、そのコイル２６がボビン７０に固定される。
【００２２】
永久磁石２１ａ、２１ｂは、コイル２６の外周側に対向するように配置されている。また、永久磁石２１ａ、２１ｂは、コイル２６を両側から挟むように配置され、コイル２６に磁界を与えている。スプリング２２は、ボビン７０の上端部に配置され、ボビン７０の光軸に対して垂直方向の位置決めをしてボビン７０を主に下方に付勢している。スプリング２３、２４は、ボビン７０の下端部にそれぞれ配置され、ボビン７０の光軸に対して垂直方向の位置決めをしてボビン７０を主に下方に付勢している。スプリング２３、２４は導電性部材からなり、スプリング２３には端子２３ａが、スプリング２４には端子２４ａがそれぞれ設けられている。スプリング２３、２４の端子２３ａ、２４ａは、ベース部材３の挿通孔３ｃに挿通されてベース部材３の下側に突出するようになっている。そして、それらの端子２３ａ、２４ａは、さらにセンサホルダー８０の前面の両端部に配置されるようになっている。コイル２６の一端はスプリング２３に、他端はスプリング２４にそれぞれ半田等で接合され、スプリング２３、２４とコイル２６とが電気的に接続されている。ＶＣＭアクチュエータ２では、スプリング２３、２４間が無通電の場合、ボビン７０はスプリング２２、２３、２４の弾性力により下方に位置するようになっている。スプリング２３、２４間が通電されると、スプリング２２、２３、２４の弾性力に抗して永久磁石２１ａ、２１ｂ及びコイル２６による電磁力によりボビン７０が上方に移動し、前記電磁力と前記弾性力がつり合う位置でボビン７０の移動が停止する。
【００２３】
カバー２５は、略四角形の筒状であり、中央付近に円状の開口部２５ａと、両側壁に挿入部２５ｂと、下面の四隅付近に凸部とを有する。挿入部２５ｂは、永久磁石２１ａ、２１ｂを埋め込んで固定するための部分であり、両側壁で対向させ、内外壁を貫通させて設けられている。挿入部２５ｂには、永久磁石２１ａ、２１ｂ全体が埋め込まれて固定される。永久磁石２１ａ、２１ｂは、レンズ駆動装置を組み立てる際にはヨーク１に接着剤等で接着される。カバー２５の凸部は、スプリング２３の挿通孔２３ｂ及びスプリング２４の挿通孔２４ｂにそれぞれ挿入され、レンズ駆動装置を組み立てる際には凸部はベース部材３の凹部３ｂにそれぞれ嵌合される。
【００２４】
図３（ａ）に示すように、ベース部材３は、略四角形の台であり、中央付近に円状のベース開口部３ａと、上面の四隅付近に凹部３ｂと、スプリング２３、２４の端子２３ａ、２４ａを下方に突出させるための２つの挿通孔３ｃとを有する。
【００２５】
図３（ｂ）に示すように、センサホルダー８０は、略四角形の筒状であり、上端部８０ｂの中央付近に円状の入射開口部８０ａと、その入射開口部８０ａの縁に防塵壁８２とを有する。防塵壁８２は入射開口部８０ａに沿って環状、具体的には、円筒状に設けらている。防塵壁８２の一端８３は平坦な面であり、上端部８０ｂから防塵壁８２の一端８３までの高さＨはほぼ一定である。
【００２６】
図４は、図２（ｂ）に示すＶＣＭアクチュエータ２の分解斜視図である。なお、図中の一点鎖線は各部品の中心軸を示す。ＶＣＭアクチュエータ２の組み立て方法の一例は、まず、カバー２５、プレート２７、スプリング２２の中心軸を揃え、プレート２７、スプリング２２の順にカバー２５の内部に取り付ける。プレート２７をスプリング２２に固定してから、それらをカバー２５の内部に取り付けるようにしてもよい。このとき、カバー２５の４つの角に凸部が設けられ、スプリング２２がそれらの凸部により中心軸（光軸）に対して垂直方向の位置決めがなされるようにしてもよい。その後、カバー２５の挿入部２５ｂに両側から永久磁石２１ａ、２１ｂを埋め込んで固定する。このとき、永久磁石２１ａ、２１ｂがスプリング２２を下方側から支持するようにしてスプリング２２がカバー２５の内部に保持されるようにしてもよい。その後、コイル２６をボビン７０の筒外周部に巻き付けてコイル２６をボビン７０に固定し、そのボビン７０にスプリング２３及びスプリング２４を取り付ける。このとき、コイル２６の一端をスプリング２３に、他端をスプリング２４にそれぞれ接合する。その後、カバー２５の凸部をスプリング２３の挿通孔２３ｂ及びスプリング２４の挿通孔２４ｂにそれぞれ挿通させてボビン７０をカバー２５に取り付ける。この手順により、ＶＣＭアクチュエータ２が組み立てられる。
【００２７】
図５は、図１のレンズ駆動装置３０を示すＡ−Ａ’断面図であり、主に図１〜図３（ｂ）のヨーク１と、ベース部材３と、マグネット２１ａ、２１ｂと、コイル２６と、ボビン７０と、センサホルダー８０とを示す断面図である。図５では、主にスプリング２２、２３、２４とプレート２７を省略している。また、図６は、図５の防塵壁８２の周辺部を示す拡大断面図である。また、図７は、図６の防塵壁の周辺部をさらに拡大して示す拡大断面図である。なお、図５、図６及び図７はＶＣＭアクチュエータ２の駆動が停止した初期状態を示している。また、図５、図６及び図７中の一点鎖線は光軸を、点Ｄ、Ｄ１、Ｄ２は塵をそれぞれ示している。
【００２８】
図５及び図６に示すように、レンズ駆動装置３０は、図示しないレンズバレルを螺合したボビン７０と、ボビン７０の筒外周部に設けられたコイル２６と、コイル２６の近傍に設けられた永久磁石２１ａ、２１ｂと、ベース部材３と、ヨーク１と、センサホルダー８０とを有する。ヨーク１はベース部材３上に設けられる。また、ヨーク１は内部にボビン７０、コイル２６及び永久磁石２１ａ、２１ｂをそれぞれ収容する。ボビン７０はベース部材３上に配置され、主に図示しないスプリング２３、２４によりボビン７０とベース部材３との間に隙間等の間隔部Ｓができている。ベース部材３はセンサホルダー８０上に配置される。このとき、ベース部材３の下端部３ｄとセンサホルダー８０の上端部８０ｂとが接合される。
【００２９】
ボビン７０は、内側にねじ溝７１と内径Ｒ１の筒内周部７２とを有する。ベース部材３は内径Ｒ３のベース開口部３ａを有する。センサホルダー８０は、略四角形の筒状であり、上方に入射開口部８０ａと、その入射開口部８０ａの縁に沿って環状に設けられた防塵壁８２と、下方に図示しない光学系センサを保持するためのセンサ保持部８１とを有する。防塵壁８２は、外径Ｒ２及び内径ｒ２の円筒状である。防塵壁８２の外径Ｒ２は、筒内周部７２の内径Ｒ１及びベース開口部３ａの内径Ｒ３と同じかそれらよりも小さい。ヨーク１の開口部１ａ、ボビン７０の筒内周部７２、ベース部材３のベース開口部３ａ及びセンサホルダー８０の入射開口部８０ａは、いずれも図示しないレンズバレルで保持されたレンズの光軸を基準にして配置され、そのレンズで受光した光をベース開口部３ａ、入射開口部８０ａをそれぞれ介して光学系センサへ入射させる。
【００３０】
図６及び図７に示すように、防塵壁８２は、センサホルダー８０上にベース部材３を配置した状態でベース部材３のベース開口部３ａを貫通してベース部材３のベース開口部３ａの上端３ｅとボビン７０の筒内周部７２の下端７３との間に形成された空間である間隔部Ｓを側方からふさぐように構成されている。このとき、防塵壁８２の一端８３は、図示しないレンズバレルを螺合したボビン７０の筒内周部７２に達するようになっている。防塵壁８２の一端８３がボビン７０の筒内周部７２に達するとは、例えば図６に示すように、センサホルダー８０の下端８０ｃを基準にして、防塵壁８２の一端８３までの高さＨ１がボビン７０の筒内周部７２の下端７３までの高さＨ２と同じかそれ以上である（Ｈ１≧Ｈ２）ことをいう。
【００３１】
以上のような構成にすると、防塵壁８２が、開口部１ａからヨーク１内に侵入した塵Ｄ１やヨーク１内で発生した塵Ｄ２が光軸方向にあるボビン７０の筒内周部７２及びベース部材３のベース開口部３ａに侵入するための経路、すなわち、センサホルダー８０の入射開口部８０ａからその下方に配置されている図示しない光学系センサへの侵入経路を遮る。そのため、レンズ駆動装置３０では、防塵壁８２によってヨーク１内の塵Ｄ１、Ｄ２を装置内部に侵入することを抑えることができる。また、センサホルダー８０に防塵壁８２を設けることにより、ボビン７０やベース部材３側に塵の侵入を防止する構造を設けなくても塵が装置内部に侵入することを抑えることができる。そのため、図示しないスプリング２３、２４等設計上様々な考慮を必要とするボビン７０やベース部材３を比較的単純で形成し易い構造とすることができる。例えば、突起や凹部等を有するボビンを樹脂で一体成形する場合、装置を小型で薄くするように構成しようとすると突起や凹部を形成する樹脂の肉厚が不十分になったり、それらの加工精度にバラつきが生じたり、或いは、それらが全く成形できなくなるといった問題があった。しかしながら、レンズ駆動装置３０では、ボビン７０やベース部材３側に塵の侵入を防止する機構を不要にしても塵Ｄ１、Ｄ２を装置内部に侵入することを抑えることができるため、装置３０をより小型で薄い構造にしようとする場合に有効である。なお、ベース部材３、ボビン７０及びセンサホルダー８０の断面はいずれも図５及び図６のような形状に限られない。
【００３２】
ベース部材３のベース開口部３ａの内径Ｒ３は、ボビン７０の筒内周部７２の内径Ｒ１と同じ程度の大きさであってもよい。また、図５及び図７に示すように、ベース開口部３ａの内径Ｒ３を防塵壁８２の外径Ｒ２よりもより大きくすることで防塵壁８２の外周部８４とベース部材３のベース開口部３ａとの間に隙間を確保することが好ましい。具体的には、図６に示すように防塵壁８２の外周部８４がベース部材３のベース開口部３ａと間隔Ｗ１をあけて配置されることが好ましい。この間隔Ｗ１はヨーク１内の塵Ｄ、Ｄ１、Ｄ２が通過できる程度以上あればよい。このようにすると、ベース部材３とセンサホルダー８０とにより塵溜まり部Ｅを容易に形成することができる。そして、ヨーク１内の塵Ｄ、Ｄ１、Ｄ２を塵溜まり部Ｅに溜めることができる。
【００３３】
防塵壁８２の外周部８４がボビン７０の筒内周部７２に接触又は近接することが好ましい。この外周部８４が筒内周部７２に接触するとは、筒内周部７２が防塵壁の外周部８４を摺動できる程度に接触していることをいう。また、この外周部８４が筒内周部７２に近接するとは、例えば図６に示すように外周部８４と筒内周部７２との間に塵Ｄ、Ｄ１、Ｄ２が通過できない程度の隙間Ｗ２を有することをいう。このようにすると、ヨーク１内の塵Ｄ、Ｄ１、Ｄ２が光軸方向にあるボビン７０の筒内周部７２及びベース部材３のベース開口部３ａから装置内部に侵入することをより効果的に抑えることができる。
【００３４】
図５に示すように、入射開口部８０ａ及び防塵壁８２の内径ｒ２は、ボビンの内径ｒ１以上であることが好ましい。ここで、ボビンの内径ｒ１はねじ溝７１により形成される光軸周りの最小径、具体的には、めねじの内径である。このようにすると、図示しないレンズで受光した光を入射開口部８０ａ及び防塵壁８２で遮ることなく光学センサにそのまま入射させることができる。そのため、ＶＣＭが小型で薄くなってもレンズ径を大きく有効に用いることができる。防塵壁８２の厚さＴは、入射開口部８０ａの内径ｒ２を大きくするために薄い方が好ましい。また、防塵壁８２の厚さＴは、塵の侵入を防止することができ、成形等により容易に製造でき、かつ、主にＶＣＭアクチュエータ２の駆動時の振動やボビン７０との接触で容易に破壊されない強度を有する程度でよい。
【００３５】
また、防塵壁８２は、ボビン７０が光軸方向の上下に移動した際においてもベース部材３のベース開口部３ａの上端３ｅとボビン７０の筒内周部７２の下端７３との間隔部Ｓをふさぐように構成されていることが好ましい。このようにすると、ＶＣＭのアクチュエータ２の駆動中においてもヨーク１内の塵Ｄ、Ｄ１、Ｄ２が光軸方向にあるボビン７０の筒内周部７２及びベース部材３のベース開口部３ａから装置内部に侵入することをより効果的に抑えることができる。
【００３６】
本実施形態のレンズ駆動装置３０は、センサホルダー８０に入射開口部８０ａの縁に沿って環状に防塵壁８２が設けられ、センサホルダー８０上にベース部材３を配置した状態でその防塵壁８２がベース部材３のベース開口部３ａを貫通してベース部材３のベース開口部３ａの上端３ｅとボビン７０の筒内周部７２の下端７３との間隔部Ｓをふさぐように構成されているため、ヨーク１内の塵Ｄ、Ｄ１、Ｄ２がボビン７０の筒内周部７２及びベース部材３のベース開口部３ａから装置内部に侵入することを抑えることができる。また、センサホルダー８０に防塵壁８２を設けることによりボビン７０やベース部材３側に塵の侵入を防止する機構を設けなくても、塵の侵入を防止しつつボビン７０やベース部材３を比較的単純で形成し易い構造とすることができる。
【符号の説明】
【００３７】
１  ヨーク
１ａ  開口部
２  ＶＣＭアクチュエータ
３  ベース部材
３ａ  ベース開口部
２１ａ、２１ｂ  平板状永久磁石
２２  スプリング
２３  スプリング
２３ａ  端子
２４  スプリング
２４ａ  端子
２５  カバー
２５ａ  開口部
２５ｂ  挿入部
２６  コイル
２７  プレート
３０  レンズ駆動装置
７０  ボビン
７１  ねじ溝
７２  筒内周部
８０  センサホルダー
８０ａ  入射開口部
８１  センサ保持部
８２  防塵壁
８３  防塵壁の端
８４  防塵壁の外周部
Ｅ  塵溜まり部
Ｓ  間隔部
【図１】
2014066935.tif 000003
【図２】
2014066935.tif 000004
【図３】
2014066935.tif 000005
【図４】
2014066935.tif 000006
【図５】
2014066935.tif 000007
【図６】
2014066935.tif 000008
【図７】
2014066935.tif 000009